(57)【要約】【課題】  フィルタの清掃を行うフィルタ清掃ユニットを備え、これを本体から着脱する際、不慣れな使用者でも着脱作業を容易に行うことのできる空気調和機を提供することを目的とする。【解決手段】  フィルタ清掃ユニット１３に、フィルタ移動径路１２の前面側一部を構成するレバー２０を回動自在に取付ける。同レバー２０は、一対のアーム部２０ｂと、同アーム部２０ｂの下端を連結する連結部２０ａとから上向コ字状に形成され、アーム部２０ｂの上端部が、フィルタ清掃ユニット１３の上面両端部に形成された溝２１内に回動自在に軸支されている。レバー２０を後方に回動し、溝２１内に収容すると、同溝２１の外方に位置する外壁部２２に備えられた貫通孔２２ｂからストッパ２４が外方に突出し、フレーム１４に形成された係合孔１４ｇに係合され、これによりフィルタ清掃ユニット１３がフレーム１４に固定されるようになっている。【選択図】図６
2010175206.tif 000002
【特許請求の範囲】
【請求項１】
吸込口と吹出口とを備えた本体内に、熱交換器と送風ファンとを設け、前記吸込口の裏面に摺動自在にフィルタを設けるとともに、同フィルタを支持するフィルタ移動径路と、同フィルタを駆動する駆動手段とを備えたフレームと、前記フィルタの表面に堆積した塵埃を清掃するフィルタ清掃ユニットとを設けてなる空気調和機において、
前記フィルタ清掃ユニットに、前記フィルタ移動径路の一部を構成するレバーを回動自在に取付けるとともに、同レバーの回動操作に連係して、前記フィルタ清掃ユニットを前記フレームに固定する固定手段を設けてなることを特徴とする空気調和機。
【請求項２】
前記フィルタ清掃ユニットは、上面両端部に溝を備え、前記レバーは、一対のアーム部と、同アーム部の下端を連結する連結部とからコ字状に形成され、前記アーム部の上端部が、前記溝内に回動自在に軸支されてなり、
前記固定手段は、前記溝の外方に位置する外壁部に備えられた貫通孔に出没自在に軸支されたストッパからなり、
前記レバーを回動し、前記溝内に収容することにより、前記ストッパを前記貫通孔から外方に突出させ、前記フレームに形成された係合孔に係合させて、前記フィルタ清掃ユニットを前記フレームに固定することを特徴としてなる請求項１に記載の空気調和機。
【発明の詳細な説明】
【技術分野】
【０００１】
本発明は、フィルタ清掃ユニットを備えた空気調和機に関わり、より詳細には、フィルタ清掃ユニットの着脱構造に関する。
【背景技術】
【０００２】
従来のフィルタ清掃ユニットを備えた空気調和機は、例えば特許文献１で示すように、壁面に据付けられるベースと、同ベースの前面に被着される、上面パネルを備えた本体キャビネットとから構成され、上面パネルの空気吸入口の裏面に、空気中に含まれる塵埃を除去するフィルタが設けられている。本体キャビネット内には、フィルタを所定方向にスライド移動させるスライド手段と、フィルタに付着した塵埃を除去する、ボトムカバーとトップカバーとからなるフィルタ清掃ユニットとが設けられている。フィルタは、所定の幅を持って枠状に形成されたフレームと、同フレームに囲まれ、網目が規則的に形成されたフィルタ部とを備えている。
【０００３】
フィルタを駆動する駆動モータは、取付部を介してベースの側面に固定されており、その出力軸には、フィルタ清掃ユニットのボトムカバーに設けられた回転ギアに対して噛合される出力ギアが取り付けられている。フィルタ清掃ユニットの両端部間には、フィルタを導入するためスリット状の導入口が設けられており、一方の導入口には、フィルタの往方向移動時に導入口を開口させ、フィルタの復方向移動時に導入口を閉方向に付勢し、フィルタ清掃部内に堆積した塵埃を清掃部外へ排出するのを防止するシャッタが設けられている。
【０００４】
上記した駆動モータの駆動によりフィルタをフィルタ清掃ユニットに対して往復移動させ、フィルタの清掃を複数回繰り返して行うようになっている。フィルタ清掃ユニット内に塵埃が一杯になった場合には、前面パネルを開け、係止状態を解除して、フィルタ清掃ユニットを取り外し、内部に溜まった塵埃を除去するようになっている。
【０００５】
フィルタ清掃ユニットのボトムカバー側面には、本体キャビネットに同フィルタ清掃ユニットを固定するための係止部が設けられている。係止部は、ボトムカバーの一部に設けられたＵ字状の弾性変形可能な弾性片からなり、その一部には前面パネル側面に設けられた係止凹部に係止される係止爪が設けられている。前面パネルの両側面には、フィルタ清掃ユニットの挿入方向に沿って２本のガイドリブが平行に突設され、ガイドリブ間には係止部が挿入されるガイド部が形成されている。
【０００６】
ガイド部には、係止爪が係止される係止凹部が一段低く形成されており、フィルタ清掃ユニットをガイド部に沿って差し込んで行き、係止爪と係止凹部とが嵌合することで、フィルタ清掃ユニットを前面パネルに固定することができるようになっている。以上の構成により、フィルタ清掃ユニットでフィルタの清掃を行う際、フィルタは本体キャビネットの前面に露出するようになっている。
【０００７】
ところで、フィルタ清掃を行う際、フィルタが本体キャビネット前面に露出しないようにするには、フィルタの前面側移動経路を本体キャビネット内部に形成する必要がある。前面側移動経路を本体キャビネット内部に形成すると、フィルタ清掃ユニット及びフィルタを本体キャビネットから抜脱する際、前面側移動経路を開放させ、続いてフィルタを上記したレールから外すとともに、フィルタ清掃ユニットの係止爪を係止凹部から外す工程が必要となり、同様に、装着する際にも、上記した複数の工程を経て装着作業を行うことが必要であることから、不慣れな使用者にとって負担となる虞がある。また、空気調和機は壁面の高所に設置され、着脱作業において視認できない範囲も多く、より単純な工程で、フィルタ清掃ユニット及びフィルタの着脱を行える空気調和機が求められていた。
【先行技術文献】
【特許文献】
【０００８】
【特許文献１】特開２００４−２８４８７号（８頁、図６）
【発明の概要】
【発明が解決しようとする課題】
【０００９】
本発明は、上記問題点に鑑み、本体内にフィルタの前面側移動経路を形成したとしても、単純な工程でフィルタ及びフィルタ清掃ユニットの装着作業が行える空気調和機を提供することを目的とする。
【課題を解決するための手段】
【００１０】
本発明は、上記課題を解決するため、吸込口と吹出口とを備えた本体内に、熱交換器と送風ファンとを設け、前記吸込口の裏面に摺動自在にフィルタを設けるとともに、同フィルタを支持するフィルタ移動径路と、同フィルタを駆動する駆動手段とを備えたフレームと、前記フィルタの表面に堆積した塵埃を清掃するフィルタ清掃ユニットとを設けてなる空気調和機において、前記フィルタ清掃ユニットに、前記フィルタ移動径路の一部を構成するレバーを回動自在に取付けるとともに、同レバーの回動操作に連係して、前記フィルタ清掃ユニットを前記フレームに固定する固定手段を設けてなる構成となっている
【００１１】
また、前記フィルタ清掃ユニットは、上面両端部に溝を備え、前記レバーは、一対のアーム部と、同アーム部の下端を連結する連結部とからコ字状に形成され、前記アーム部の上端部が、前記溝内に回動自在に軸支されてなり、前記固定手段は、前記溝の外方に位置する外壁部に備えられた貫通孔に出没自在に軸支されたストッパからなり、前記レバーを回動し、前記溝内に収容することにより、前記ストッパを前記貫通孔から外方に突出させ、前記フレームに形成された係合孔に係合させて、前記フィルタ清掃ユニットを前記フレームに固定する構成となっている。
【発明の効果】
【００１２】
請求項１記載の発明によれば、フィルタ清掃ユニットに、フィルタ移動経路の一部となるレバーを回動自在に取付け、同レバーの回動操作に連係してフィルタ清掃ユニットをフレームに固定する固定手段を設けたことにより、装着作業に不慣れでもフィルタ清掃ユニットをフレームに容易に固定することができるようになっている。
【００１３】
請求項２記載の発明によれば、フィルタ清掃ユニットをフレームに装着する際、レバーのアーム部を溝内に収納させる単純な動作で、ストッパを突出させフレームの係合孔に係合させることができ、フィルタ清掃ユニットをフレームに確実に固定することができるようになっている。
【図面の簡単な説明】
【００１４】
【図１】（Ａ）は本発明による空気調和機の外観斜視図である。  （Ｂ）は、フロントパネルを開いた状態を示す外観斜視図である。
【図２】本発明による空気調和機の断面図である。
【図３】空気調和機の本体内に設けられたフレームユニットを示す斜視図である。
【図４】（Ａ）はフィルタを示す斜視図である。  （Ｂ）は、フィルタの駆動機構を示す斜視図である。
【図５】フィルタの移動径路を示す断面図である。
【図６】（Ａ）はフィルタ清掃ユニットのレバーを回動させた際のストッパの状態を示す斜視図である。  （Ｂ）は、フィルタ清掃ユニットのレバーを閉じた際のストッパの状態を示す斜視図である。
【図７】（Ａ）はフィルタ清掃ユニットのレバーを閉じた状態を示す斜視図である。  （Ｂ）は、（Ａ）の要部斜視図である。  （Ｃ）はフィルタ清掃ユニットのレバーを回動させた状態を示す斜視図である。  （Ｄ）は、（Ｃ）の要部斜視図である。
【図８】ケーシングの前面側を示す斜視図である。
【図９】（Ａ）はフィルタ清掃ユニットを示す斜視図である。  （Ｂ）は、フィルタ清掃ユニットのレバーを回動させた状態を示す斜視図である。
【図１０】フロントパネルと、フィルタ清掃ユニットのレバーとを開放した状態を示す断面図である。
【発明を実施するための形態】
【００１５】
以下、本発明の実施の形態を、添付図面に基づいた実施例として詳細に説明する。
【実施例１】
【００１６】
本発明による空気調和機は、図１（Ａ）の外観斜視図で示すように、背面側に位置する図示しないベースパネルと、同ベースパネルの前面に被着されるケーシング１と、同ケーシング１の前面側に開閉自在に設けられたフロントパネル２と、ケーシング１の上面に開閉自在に設けられ、格子状に複数の吸込口３ａを備えた天面パネル３とから本体を構成しており、本体の前面下部には、上下風向板９により閉鎖される吹出口４が設けられている。
【００１７】
フロントパネル２は、両側上縁部に設けた図示しない軸をケーシング１の両側上部に設けられた軸受部により回動自在に軸支され、上方に向け所定角度、回動させると、図１（Ｂ）に示すような角度でロックされるようになっており、この状態で、後述するフィルタ１１及びフィルタ清掃ユニット１３を本体から着脱できるようになっている。また、フロントパネル２を所定角度以上に回動させた場合は、フロントパネル２をケーシング１から取り外すことができるようになっている。
【００１８】
本体内には、図２の断面図で示すように、平行して並べられたフィンと、同フィンに直交するように配設された伝熱管とからなる熱交換器５が設けられている。同熱交換器５は、前面上部熱交換器５ａと、前面下部熱交換器５ｂと、後面上部熱交換器５ｃとから逆Ｖ字状に形成されており、前面下部熱交換器５ｂの下方には、前面上部熱交換器５ａと前面下部熱交換器５ｂとから滴下する凝縮水を受ける前部露受皿７ａが設けられ、後面上部熱交換器５ｃの下方にも、同後面上部熱交換器５ｃから滴下する凝縮水を受ける後部露受皿７ｂが設けられている。また、これらに囲繞されるようにクロスフローファンからなる送風ファン６が設けられている。
【００１９】
吹出口４には、上下方向に回動して吹出される空気を偏向するとともに、運転停止時には同吹出口４を閉鎖する上下風向板９と、左右方向に回動して吹出される空気を偏向する左右風向板８と、下方に回動して吹出される空気を直下方向に指向させるディフューザ１０が設けられている。送風ファン６により吸込口３ａから吸込まれた室内の空気は、熱交換器５を通過して熱交換された後、吹出口４に向かい送出され、左右風向板８と上下風向板９により吹出方向を偏向されながら室内に吹出されるようになっている。
【００２０】
本体の上面から前面に掛けては、吸込まれる空気中に含有される塵埃を除去するフィルタ１１が左右一対となって設けられている。同フィルタ１１は、後述するフレーム１４に形成されたフィルタ移動経路としての、左右一対のフィルタ移動レール１２間に、両側を支持されて摺動自在に収納されており、同フィルタ移動レール１２は本体の上面から前面に掛けて弓形状に形成された前部側レール１２ａと、同前部側レール１２ａの下端から後方に向けＵ字状に折曲された折曲部レール１２ｂと、同折曲部レール１２ｂの後方部上端と、前部側レール１２ａとを連結する後部側レール１２ｃとからなっている。
【００２１】
本体の前面上部には、左右のフィルタ１１を夫々挟み込むようにしてフィルタ清掃ユニット１３が左右一対となって設けられている。同フィルタ清掃ユニット１３は、上部ボックス１３ａと下部ボックス１３ｂとからなり、これらでフィルタ１１を上下から挟み込むようになっている。上部ボックス１３ａ内には、回動自在な軸に支持された半円状の基台と、同基台に植設されたブラシからなる除塵用ブラシ１３ｃがフィルタ１１の上面に接するように設けられるとともに、これに隣接して、除塵用ブラシ１３ｃに溜まった塵埃を  き獲る、円弧状に形成された  取用ブラシ１３ｄと、同  取用ブラシ１３ｄにより  取られた塵埃を収納する塵埃収納部１３ｅとが設けられている。除塵ブラシ１３ｃは、フィルタ１１の清掃時にはブラシ面をフィルタ１１の上面に対向させているが、後述する第二駆動モータ１５ｂにより基台の軸が回動されると、ブラシ面を  取用ブラシ１３ｄに接触させ、溜まった塵埃を除去するようになっている。下部ボックス１３ｂ内には、平板状の基台に植設されたブラシが設けられ、スプリングによりフィルタ１１の下面に押圧されるようになっており、上部ボックス１３ａに設けられた除塵用ブラシ１３ｃの除塵効率を向上させるようになっている。
【００２２】
本体内には、図３で示すように、上記したフィルタ１１及びフィルタ清掃ユニット１３を支持するフレーム１４が設けられている。同フレーム１４は、平板状に形成された右側フレーム１４ａと、左側フレーム１４ｂと、中央に配置された中央フレーム１４ｃと、これら右側フレーム１４ａと左側フレーム１４ｂと中央フレーム１４ｃを連結する上部フ  レーム１４ｄと下部フレーム１４ｅとからなっている。
【００２３】
右側フレーム１４ａと中央フレーム１４ｃとの間で、吸込口３ａに対応する前面には、後述する着脱機構により右側のフィルタ清掃ユニット１３が着脱自在に装着され、同様に、中央フレーム１４ｃと左側フレーム１４ｂの間の前面には、左側のフィルタ清掃ユニット１３が着脱自在に装着されている。また、右側のフィルタ清掃ユニット１３と共に右側のフィルタ１１が設けられ、同様に、左側のフィルタ清掃ユニット１３と共に、左側のフィルタ１１が設けられている。
【００２４】
右側フレーム１４ａの外壁下部には、左右一対のフィルタ１１を前後に摺動させる駆動源としての第一駆動モータ１５ａが装着され、外壁上部には、上記したように、フィルタ清掃ユニット１３の上部ボックス１３ａに設けられた除塵用ブラシ１３ｃを回動させる駆動源としての第二駆動モータ１５ｂが装着されている。
【００２５】
中央フレーム１４ｃには、後述する第一回動軸１８と第二回動軸１９とに接続されたクラッチ機構１６が設けられている。詳述はしないが、同クラッチ機構１６は、スライダと回転体等とを備え、第一駆動モータ１５ａから第一回動軸１８を介して伝達された駆動力を切換え、右側のフィルタ１１と左側のフィルタ１１とを交互に駆動させることができるようになっている。
【００２６】
次に、フィルタ１１の構成について説明する。フィルタ１１は、図４（Ａ）で示すように、格子状に形成された樹脂材からなる枠体１１ａと、同枠体１１ａと一体に形成され、空気中の塵埃を捕獲する網体１１ｂとからなり、樹脂材としては、ポリプロピレン等の合成樹脂が用いられ、静電気の帯電を防止するように導電性樹脂が含有されている。
【００２７】
枠体１１ａの一側には切欠孔１１ｄが穿設されている。フィルタ１１が除塵を行う通常位置に配置されないと、上記したフレーム１４の右側フレーム１４ａ及び中央フレーム１４ｃに設けられた、図示しない位置検出センサが切欠孔１１ｄを検出することができず、
フィルタ１１の装着操作の際、警告を発するようになっている。
【００２８】
また、枠体１１ａの両側には、歯型状にラック部１１ｃが上端から下端に掛けて形成されており、同ラック部１１ｃが後述する、回動するフィルタ駆動ギア１７に噛合することにより、フィルタ１１は前後に摺動するようになっている。
【００２９】
フレーム１４の右側フレーム１４ａの内壁には、図４（Ｂ）で示すように、弓形状に形成された前部側レール１２ａと、同前部側レール１２ａの下端から後方に向けＵ字状に折曲された折曲部レール１２ｂと、同折曲部レール１２ｂの後方部上端と、前部側レール１２ａの中央部とを連結する後部側レール１２ｃとからなるフィルタ移動レール１２が設けられており、図示はしないが同様に、中央フレーム１４ｃの両側壁と、左側フレーム１４ｂの内壁にもフィルタ移動レール１２が設けられている。上記したように、フィルタ１１は両側をフィルタ移動レール１２間に支持されるようになっている。また、右側フレーム１４ａの前面上部には、後述するフィルタ清掃ユニット１３の取付片２２が係止してフィルタ清掃ユニット１３の上部を、フレーム１４の上部に一時的に保持させる、凹部状に形成された収容部１４ｆが設けられており、図示はしないが同様に、中央フレーム１４ｃの両側壁と、左側フレーム１４ｂにも収容部１４ｆが形成されている。
【００３０】
右側フレーム１４ａの外壁に装着された第一駆動モータ１５ａの回動軸は、第一回動軸１８の一端に連結され、同第一回動軸１８の他端は中央フレーム１４ｃの上述したクラッチ機構１６に連結されている。第一回動軸１８の上方にはクラッチ機構１６と右側フレーム１４ａとを結ぶ第二回動軸１９が設けられており、同第二回動軸１９は両端部にフィルタ駆動ギア１７を設けている。第一駆動モータ１５ａの駆動力は第一回動軸１８を介してクラッチ機構１６に伝達され、同クラッチ機構１６の切換機構を介して第二回動軸１９に伝達されフィルタ駆動ギア１７を回動させるようになっている。フィルタ１１の両側部に設けられたラック部１１ｃは、第二回動軸１９の両端部に設けられたフィルタ駆動ギア１７に噛合するようになっており、同フィルタ駆動ギア１７が回動することによりフィルタ１１はフィルタ移動レール１２にガイドされながら前後に摺動するようになっている。
【００３１】
一定期間、冷暖房運転を継続し、フィルタ１１の表面に塵埃が堆積した際は、フィルタ清掃ユニット１３によりフィルタ１１の清掃が行われるようになっている。図５で示すように、上記した第一駆動モータ１５ａにより第一回動軸１８及びクラッチ機構１６を介して第二回動軸１９が回転駆動されフィルタ駆動ギア１７が回動すると、同フィルタ駆動ギア１７に噛合したラック部１１ｃにより、フィルタ１１はフィルタ移動レール１２にガイドされながら前方方向に摺動するようになっている。この際、フィルタ清掃ユニット１３内に設けられた除塵ブラシ１３ｃに接触することでフィルタ１１の上面に堆積した塵埃は除去されるようになっている。
【００３２】
前方に摺動したフィルタ１１は、弓形状に形成された前部側レール１２ａを通過すると、Ｕ字状に折曲された折曲部レール１２ｂにより折り返され、矢印で示すように、後部側レール１２ｃ内に進行するようになっている。後部側レール１２ｃの所定位置にフィルタ１１の先端部が達すると、第一駆動モータ１５ａが逆回転を行いフィルタ１１は逆方向に摺動するようになっている。この動作が反復され、フィルタ１１の表面に堆積した塵埃は充分に除去されるようになっている。また、この後、除塵ブラシ１３ｃに除去された塵埃は、上記したように、第二駆動モータ１５ｂの駆動により除塵ブラシ１３ｃが回動されると、  取用ブラシ１３ｄにより除塵ブラシ１３ｃに溜まった塵埃が除去され、上部ボックス１３ａ内の塵埃収納部１３ｅに塵埃は貯留されるようになっている。
【００３３】
フィルタ清掃ユニット１３には、図６（Ａ）で示すように、レバー２０が回動自在に設けられており、同レバー２０は図６（Ｂ）で示すように、左右一対のアーム部２０ｂと、同左右一対の同アーム部２０ｂの下端部を連結する連結部２０ａとでコ字状に形成されている。また、レバー２０が図６（Ｂ）で示す、閉じられた状態では、アーム部２０ｂがフィルタ１１の前面側移動レール１２ａの一部を構成するようになっている。フィルタ清掃ユニット１３は、図７（Ｂ）の要部斜視図で示すように、上面に、両端部から所定の間隔を在して溝２１を備えるとともに、その外方には外壁２２が備えられている。アーム部２１の上端部は、溝２１内に設けられた図示しない支軸部により軸支され、これによりレバー２０は前方方向に回動自在となるとともに、図示しない弦巻バネ等の付勢手段により常時，図６（Ａ）で示す、前方に回動するよう付勢されるようになっている。
【００３４】
レバー２０の連結部２０ａには、図６（Ｂ）で示すように、前縁部中央に切欠き２０ｃが設けられ、同切欠き２０ｃの一側には、先端部を内方に向け、後述するスライド係止具１４ｈに係止する係止爪２０ｄが突設されており、また、アーム部２０ｂの下部中央には後述するストッパ２４を押圧する押圧部２０ｅが突設されている。
【００３５】
図６（Ａ）及び図６（Ｂ）は、上記した外壁２２の一部を省略した斜視図であり、同外壁２２の内部には、図６（Ａ）で示すように、前後方向に支持され、弦巻バネ等の付勢手段２５により、一方向に付勢された回動自在な軸２３が設けられており、同軸２３の中央部には、扇形状に形成されたストッパ２４が形成されている。図６（Ｂ）に示すように、アーム部２０ｂを溝２１内に収容すると、同アーム部２０ｂに形成された押圧部２０ｅがストッパ２４の後端部２４ｂを押圧するようになっており、これにより軸２３が回動し、ストッパ２４の前端部２４ａが、外方に向け突出するようになっている。また、レバー２０を、図６（Ａ）で示すように、開く方向に回動させると、押圧部２０ｅが離反することにより、軸２３は付勢手段２５により回動し、ストッパ２４の前端部２４ａは内方に引き込まれるようになっている。
【００３６】
外壁２２の下部には、図７（Ｂ）及び図７（Ｄ）の要部斜視図で示すように、矩形状の貫通孔２２ｂが設けられており、同貫通孔２２ｂに対応して上記したストッパ２４が配置されている。上記したように、押圧部２０ｅに押圧されて軸２３が回動すると、貫通孔２２ｂからストッパ２４の前端部２４ａが外方に向け突出し、押圧部２０ｅが離反すると、ストッパ２４は貫通孔２２ｂ内に引き込まれ、後述する係合孔１４ｇから外れるようになっている。また、外壁２２の上部には、略半円状の取付片２２ａが形成され、同取付片２２ａがフレーム１４に形成された収容部１４ｆに収容されると、フィルタ清掃ユニット１３がフレーム１４に仮止めされるようになっている。
【００３７】
フレーム１４の前面下部には、図８で示すように、レバー２０の連結部２０ａに設けられた上記した係止爪２０ｄが係止するスライド係止具１４ｈが設けられている。同スライド係止具１４ｈは左右方向にスライド自在にフレーム１４に支持されるとともに、付勢手段により係止爪２０ｃ方向に付勢されており、左側に位置する時は係止爪２０ｄを係止することにより、レバー２０は、アーム部２０ｂが溝２１内に収容される状態が保持されるようになっている。また、スライド係止具１４ｈを右側方向にスライドさせると、係止爪２０ｃが開放されるようになっている。
【００３８】
また、フレーム１４には、フィルタ移動レール１２の前部側レール１２ａの上方に、上記したストッパ２４が係合する凹部状の係合孔１４ｇが形成されており、上記した外壁２２の切欠孔２２ｂからストッパ２４が突出すると、同ストッパ２４は係合孔１４ｇに係合するようになっている。
【００３９】
図７（Ａ）で示すように、レバー２０を引き出す方向に回動させた状態では、図７（Ｂ）で示すように、ストッパ２４は貫通孔２２ｂの内方に引き込まれているが、図７（Ｃ）で示すように、レバー２０を閉じる方向に回動させ、アーム部２０ｂが溝２１に収容された状態では、図６（Ｄ）で示すように、ストッパ２４は貫通孔２２ｂから外方に向け突出し、フレーム１４の係合孔１４ｇに係合するようになっている。これにより、フィルタ清掃ユニット１３はフレーム１４に固定されるようになっている。
【００４０】
次に、フィルタ清掃ユニット１３及びフィルタ１１の着脱について説明する。フィルタ清掃ユニット１３により、定期的にフィルタ１１の清掃を行うと、フィルタ清掃ユニット１３の塵埃収納部１３ｅには、除去された塵埃が次第に堆積してくる。これを除去し、塵埃収納部１３ｅを清掃するために、フィルタ清掃ユニット１３及びフィルタ１１を本体から外し、清掃処理を行った後、再び、本体内に装着するようになっている。
【００４１】
フィルタ清掃ユニット１３及びフィルタ１１を本体から外す際は、図１０で示すように、まず、フロントパネル２を所定角度回動させて、フレーム１４の前面側を開放させる。図９（Ａ）は本体からフロントパネル２を省略した状態を示す斜視図であり、次に、図９（Ｂ）で示すように、上記したスライド係止具１４ｈをスライドさせて係止爪２０ｄを外し、フィルタ清掃ユニット１３のレバー２０を前方に向け回動させることにより、ストッパ２４がフレーム１４の係合孔１４ｇから外れるようになっている。ストッパ２４が係合孔１４ｇから外れると、外壁２２の取付片２２ａが、フレーム１４に形成された収容部１４ｆから外れるようになっている。これにより、フィルタ清掃ユニット１３と、これに挟持されたフィルタ１１とをフレーム１４から抜脱することができるようになっており、スライド係止具１４ｈをスライドさせてレバー２０を前方に向け回動させる工程と、取付片２２ａを収容部１４ｆから外す単純な工程で、抜脱作業を行えるようになっている。
【００４２】
フィルタ清掃ユニット１３の上部ボックス１３ａと下部ボックス１３ｂとは、固定爪を外すことにより、容易に分割することができるようになっており、分割した後、塵埃収納部１３ｅに堆積した塵埃を廃棄し、また、フィルタ１１に付着した汚れを清掃することができるようになっている。
【００４３】
上部ボックス１３ａと下部ボックス１３ｂの清掃を行った後は、再び、上部ボックス１３ａと下部ボックス１３ｂとを合体させ、これらの間に、清掃したフィルタ１１を挿通させる。そして、フィルタ１１を載置させるようにしてフレーム１４の前面側に配置させるとともに、外壁２２の取付片２２ａを、フレーム１４に形成された収容部１４ｆに収容する。
【００４４】
フィルタ１１がフレーム１４前面側の正規位置に載置されたことを確認した後、再び、レバー２０を押し下げ、ストッパ２４を突出させて係合孔１４ｇに係止させる。これにより、レバー２０のアーム部２０ａがフィルタ１１の移動径路の前面側一部を形成しながら、フィルタ清掃ユニット１３とフィルタ１１とはフレーム１４の所定位置に装着されるようになっている。次に、フロントパネル２を閉じることにより装着作業は完了するようになっている。このように、装着作業を行う際にも、取付片２２ａを収容部１４ｆに収容する工程と、レバー２０を押し下げる工程との単純な工程で作業を行えるようになっており、空気調和機が据付けられた高所の視認範囲が狭い環境においても、容易にフィルタ清掃ユニット１３及びフィルタ１１とをフレーム１４に装着できるようになっている。
【００４５】
以上、説明したように、フィルタ清掃ユニット１３及びフィルタ１１の清掃を終え、本体内に再び装着する際、本体内の、前面側が大きく開放されたフレーム１４前面にフィルタ１１を載置するとともに、フィルタ清掃ユニット１３の取付片２２ａを、フレーム１４に形成された収容部１４ｆに係止させることにより、視認範囲を広くしながら、容易な作業で、これらを行えるようになっている。また、フィルタ清掃ユニット１３に設けられたレバー２０を押し下げ、ストッパ２４をケーシング１に設けられた係合孔１４ｇに係合させることにより、フィルタ清掃ユニット１３がフレーム１４に確実に固定されるとともに、レバー２０によりフィルタ１１の前面側ガイド手段が形成されるようになっている。これにより、再び、フィルタ清掃ユニット１３によるフィルタ１１の清掃を支障なく行えるようになっている。
【００４６】
また、仮に、フィルタ清掃ユニット１３の上部ボックス１３ａと下部ボックス１３ｂとが位置ズレを生じて組み合わされていたり、あるいは、外壁２２の取付片２２ａが収容部１４ｆに正しく係止されていない場合は、レバー２０を押し下げ、ストッパ２４を係合孔１４ｇに係止させようとしても、係止することができないようになっており、また、レバー２０が図９（Ａ）で示す状態まで押し下げられない場合は、フロントパネル２が完全に閉じられないようになっている。これにより使用者の誤装着を未然に防止することができるようになっている。
【符号の説明】
【００４７】
１  ケーシング
２  フロントパネル
３  天面パネル
３ａ  吸込口
４  吹出口
５  熱交換器
５ａ  前面上部熱交換器
５ｂ  前面下部熱交換器
５ｃ  後面上部熱交換器
６  送風ファン
７ａ  前部露受皿
７ｂ  後部露受皿
８  左右風向板
９  上下風向板
１０  ディフューザ
１１  フィルタ
１１ａ  枠体
１１ｂ  網体
１１ｃ  ラック部
１１ｄ  切欠孔
１２  フィルタ移動レール
１２ａ  前部側レール
１２ｂ  折曲部レール
１２ｃ  後部側レール
１３  フィルタ清掃ユニット
１３ａ  上部ボックス
１３ｂ  下部ボックス
１３ｃ  除塵用ブラシ
１３ｄ    取用ブラシ
１３ｅ  塵埃収納部
１４  フレーム
１４ａ  右側フレーム
１４ｂ  左側フレーム
１４ｃ  中央フレーム
１４ｄ  上部フレーム
１４ｅ  下部フレーム
１４ｆ  収容部
１４ｇ  係合孔
１４ｈ  スライド係止具
１５ａ  第一駆動モータ
１５ｂ  第二駆動モータ
１６  クラッチ機構
１７  フィルタ駆動ギア
１８  第一回動軸
１９  第二回動軸
２０  レバー
２０ａ  連結部
２０ｂ  アーム部
２０ｃ  切欠き
２０ｄ  係止爪
２０ｅ  押圧部
２１  溝
２２  外壁
２２ａ  取付片
２２ｂ  貫通孔
２３  軸
２４  ストッパ
２５  付勢手段
【図１】
2010175206.tif 000003
【図２】
2010175206.tif 000004
【図３】
2010175206.tif 000005
【図４】
2010175206.tif 000006
【図５】
2010175206.tif 000007
【図６】
2010175206.tif 000008
【図７】
2010175206.tif 000009
【図８】
2010175206.tif 000010
【図９】
2010175206.tif 000011
【図１０】
2010175206.tif 000012